(57)【要約】【課題】高周波ノイズを低減することのできるフィルタ装置及びそれを用いた放電灯点灯装置並びに照明器具を提供する。【解決手段】商用電源ＡＣの出力端と点灯回路９の入力端との間に接続されて点灯回路９から伝播するノイズを減衰させるフィルタ装置Ｆであって、商用電源ＡＣと点灯回路９とを接続する一対の電源ライン４０、４１に挿入されてノイズを低減させる４つのラインフィルタ１と、商用電源ＡＣの出力端に接続されて２個のコンデンサ２ａ、２ｂを直列に接続して成る第一のコンデンサ直列回路２とを備え、該第一のコンデンサ直列回路２における各コンデンサ２ａ、２ｂ間の接続点とアースライン５とをコンデンサ２ｃを介して接続している。【選択図】図１
2007317569.tif 000002
【特許請求の範囲】
【請求項１】
商用電源の出力端と電気機器の入力端との間に接続されて電気機器から商用電源又は商用電源から電気機器に伝播するノイズを減衰させるフィルタ装置であって、商用電源と電気機器とを接続する電源ラインに挿入されてノイズを低減させるラインフィルタと、商用電源の出力端に接続されて少なくとも２個以上のコンデンサを直列に接続して成る第一のコンデンサ直列回路とを備え、該第一のコンデンサ直列回路における各コンデンサ間の接続点を接地したことを特徴とするフィルタ装置。
【請求項２】
ラインフィルタの出力端に接続されて少なくとも２個以上のコンデンサを直列に接続して成る第二のコンデンサ直列回路を備え、該第二のコンデンサ直列回路における各コンデンサ間の接続点を接地したことを特徴とする請求項１記載のフィルタ装置。
【請求項３】
電気機器と商用電源側の接地点との間に挿入されるインピーダンス素子を備えたことを特徴とする請求項１又は２記載のフィルタ装置。
【請求項４】
前記第一のコンデンサ直列回路における各コンデンサ間の接続点をインダクタンス素子を介して接地したことを特徴とする請求項１乃至３の何れか記載のフィルタ装置。
【請求項５】
前記電源ラインに挿入される一乃至複数のインダクタンス素子を備えたことを特徴とする請求項１乃至４の何れか記載のフィルタ装置。
【請求項６】
前記電気機器であって、商用電源からの交流電圧を高周波の交流電圧に変換するインバータ回路と、請求項１乃至５の何れか１項に記載のフィルタ装置とを備えたことを特徴とする放電灯点灯装置。
【請求項７】
器具本体と、器具本体に取り付けられて放電灯が着脱自在に装着されるソケットと、ソケットを介して放電灯に電力を供給する請求項６記載の放電灯点灯装置とを備えたことを特徴とする照明器具。
【発明の詳細な説明】
【技術分野】
【０００１】
本発明は、商用電源と電気機器との間の電源ラインを伝播するノイズを低減するフィルタ装置及びそれを用いた放電灯点灯装置並びに照明器具に関する。
【背景技術】
【０００２】
従来から、商用電源と電気機器との間の電源ラインを伝播するノイズを低減するフィルタ装置が提供されている（例えば特許文献１参照）。この種のフィルタ装置を備えた放電灯点灯装置の例を以下に示す。この放電灯点灯装置は、図８に示すように、商用電源ＡＣからの交流電圧を整流する整流回路ＤＢと、整流回路ＤＢからの出力を昇圧して直流電圧に変換する昇圧回路ＣＨＰと、昇圧回路ＣＨＰからの出力を高周波の交流電圧に変換するインバータ回路ＩＮＶとから成る。
整流回路ＤＢはダイオードブリッジから成り、ダイオードブリッジの低圧側はコンデンサＣ４を介してアース電位ＧＮＤに接続されている。昇圧回路ＣＨＰは、整流回路ＤＢの出力端にインダクタンスＬ１及びＭＯＳＦＥＴから成るスイッチング素子Ｑ１の直列回路を接続し、該スイッチング素子Ｑ１と並列にダイオードＤ１及び平滑コンデンサＣ１の直列回路を接続して成る昇圧チョッパー回路で、スイッチング素子Ｑ１を制御回路１００から送信される制御信号によって高周波でスイッチングすることで整流回路ＤＢからの脈流電圧を昇圧して平滑コンデンサＣ１の出力端から直流電圧を出力する。インバータ回路ＩＮＶは、平滑コンデンサＣ１の出力端にＭＯＳＦＥＴから成る２個のスイッチング素子Ｑ２，Ｑ３の直列回路を接続して成り、一方のスイッチング素子Ｑ３の両端にはインダクタンスＬ２及びコンデンサＣ２の直列回路を介して放電灯ＬＰが接続される。尚、放電灯ＬＰのフィラメントの非電源側の両端には共振用コンデンサＣ３が接続されている。これらスイッチング素子Ｑ２、Ｑ３をインバータ駆動回路１０１から送信される駆動信号によって高周波で交互にスイッチングすることで放電灯ＬＰに高周波の交流電圧を印加して点灯させる。尚、上記の各回路は周知であるので、ここでは詳細な説明を省略する。
【０００３】
ここで、商用電源ＡＣの出力端と整流回路ＤＢの入力端との間には、高周波ノイズを低減するためにコンデンサＣ５及びコモンモードフィルタＬＦから成るフィルタ装置１０２が設けられている。このフィルタ装置１０２は、図９に示すように、インバータ回路ＩＮＶで発生した電源ライン間を流れるノーマルモードノイズをコンデンサＣ５を介してインバータ回路ＩＮＶに帰還させることで、商用電源ＡＣ側に流れ込むノーマルモードノイズを低減している（同図の実線を参照）。また、コモンモードフィルタＬＦは、図示しないが円環状のフェライトコアに一対の電源ラインを各々逆向きに巻いて構成され、該コモンモードフィルタＬＦによって電源ライン及び回路のグラウンド間を流れるコモンモードノイズを低減している（同図の点線を参照）。
【特許文献１】特開平６−２３６８２２号公報
【発明の開示】
【発明が解決しようとする課題】
【０００４】
ところで、近年医療機関や航空機、半導体製造工場等のノイズによる誤動作に対して影響の大きい分野に関しては、これまで以上に低ノイズ化が望まれるようになっている。このため、従来の照明器具は電気用品安全法によるノイズ規格に準拠していれば問題が無かったが、これらの分野に用いられる照明器具に関しては、例えば電気用品安全法よりも更に厳しい規格である国際無線障害特別委員会（ＣＩＳＰＲ）のＣＩＳＰＲ１５（電気照明機器及び類似機器の妨害波特性の許容値及び測定法）等の規格に対応する必要がある。
【０００５】
しかしながら、上記従来例においてノイズ電圧を測定すると、例えば図１０に示すように、１５０．０ｋＨｚ〜４００．０ｋＨｚの高周波数の帯域においてＣＩＳＰＲ１５の規格を満足しておらず（同図において、イ、ロはそれぞれＣＩＳＰＲ１５の準尖頭値の規格値及び平均値の規格値を、ハ、ニはそれぞれ高圧側の電源ラインにおける検波値及び低圧側の電源ラインにおける検波値を示す）、高周波ノイズに対するノイズ低減効果が不十分であるという問題があった。
【０００６】
本発明は、上記の点に鑑みて為されたもので、高周波ノイズを低減することのできるフィルタ装置及びそれを用いた放電灯点灯装置並びに照明器具を提供することを目的とする。
【課題を解決するための手段】
【０００７】
請求項１の発明は、上記目的を達成するために、商用電源の出力端と電気機器の入力端との間に接続されて電気機器から商用電源又は商用電源から電気機器に伝播するノイズを減衰させるフィルタ装置であって、商用電源と電気機器とを接続する電源ラインに挿入されてノイズを低減させるラインフィルタと、商用電源の出力端に接続されて少なくとも２個以上のコンデンサを直列に接続して成る第一のコンデンサ直列回路とを備え、該第一のコンデンサ直列回路における各コンデンサ間の接続点を接地したことを特徴とする。
【０００８】
請求項２の発明は、請求項１の発明において、ラインフィルタの出力端に接続されて少なくとも２個以上のコンデンサを直列に接続して成る第二のコンデンサ直列回路を備え、該第二のコンデンサ直列回路における各コンデンサ間の接続点を接地したことを特徴とする。
【０００９】
請求項３の発明は、請求項１又は２の発明において、電気機器と商用電源側の接地点との間に挿入されるインピーダンス素子を備えたことを特徴とする。
【００１０】
請求項４の発明は、請求項１乃至３の発明において、第一のコンデンサ直列回路における各コンデンサ間の接続点をインダクタンス素子を介して接地したことを特徴とする。
【００１１】
請求項５の発明は、請求項１乃至４の発明において、電源ラインに挿入される一乃至複数のインダクタンス素子を備えたことを特徴とする。
【００１２】
請求項６の発明は、商用電源からの交流電圧を高周波の交流電圧に変換するインバータ回路と、請求項１乃至５の何れか１項に記載のフィルタ装置とを備えたことを特徴とする。
【００１３】
請求項７の発明は、器具本体と、器具本体に取り付けられて放電灯が着脱自在に装着されるソケットと、ソケットを介して放電灯に電力を供給する請求項６記載の放電灯点灯装置とを備えたことを特徴とする。
【発明の効果】
【００１４】
請求項１の発明によれば、電気機器から商用電源へと流れ込む高周波のコモンモードノイズを、第一のコンデンサ直列回路を介して電源ラインに帰還させるので、商用電源に流れ込む高周波のコモンモードノイズを低減することができる。
【００１５】
請求項２の発明によれば、電気機器から商用電源へと流れ込む低周波のコモンモードノイズを、第二のコンデンサ直列回路を介して電源ラインに帰還させるので、商用電源に流れ込む低周波のコモンモードノイズを低減することができる。また、第二のコンデンサ直列回路によって低周波のコモンモードノイズを低減するために、ラインフィルタのインダクタンスを小さくすることができ、したがって装置の小型化及びコスト削減を図ることができる。
【００１６】
請求項３の発明によれば、電気機器から商用電源へと流れ込むコモンモードノイズを低減することができる。
【００１７】
請求項４の発明によれば、第一のコンデンサ直列回路を介して流れるノイズ電流をインダクタンスで減衰させることができ、したがって電気機器から商用電源へと流れ込む高周波のコモンモードノイズを低減することができる。
【００１８】
請求項５の発明によれば、電源ラインを流れるノイズ電流をインダクタンスで減衰させることができ、したがって電気機器から商用電源に流れ込むノイズを低減することができる。
【００１９】
請求項６の発明によれば、請求項１乃至５の何れかの効果を奏するフィルタ装置を備えた放電灯点灯装置を実現することができる。
【００２０】
請求項７の発明によれば、請求項１乃至５の何れかの効果を奏するフィルタ装置を備えた照明器具を実現することができる。
【発明を実施するための最良の形態】
【００２１】
（実施形態１）
以下、本発明の第１の実施形態について図面を用いて説明する。本実施形態は、図１（ａ）に示すように、電気機器であって商用電源ＡＣからの交流電圧を高周波の交流電圧に変換して放電灯ＬＰに供給する点灯回路９と、商用電源ＡＣの出力端と点灯回路９の入力端との間に接続されて点灯回路９から伝播するノイズを減衰させるフィルタ装置Ｆとから成る放電灯点灯装置である。尚、点灯回路９は、従来例の整流回路ＤＢ、昇圧回路ＣＨＰ、インバータ回路ＩＮＶから成り、その構成は後述する他の実施形態においても同様である。したがって、以下ではフィルタ装置Ｆのみについて説明する。
フィルタ装置Ｆは、商用電源ＡＣと点灯回路９とを接続する一対の電源ライン４０、４１に挿入されてノイズを低減させる複数（図示では４つ）のラインフィルタ１と、商用電源ＡＣの出力端に接続されて２個のコンデンサ２ａ、２ｂを直列に接続して成る第一のコンデンサ直列回路２とを備え、該第一のコンデンサ直列回路２における各コンデンサ２ａ、２ｂ間の接続点とアースライン５とをコンデンサ２ｃを介して接続している。尚、アースライン５は、２個のコンデンサ６ａ、６ｂを直列に接続して成るアースコンデンサ回路６を介して点灯回路９と接続され、商用電源ＡＣ側の接地点と接続されている。
ラインフィルタ１は、例えばコモンモードノイズを低減する従来例のコモンモードフィルタＬＦやノーマルモードノイズを低減するインダクタンス素子（図示せず）を組み合わせて成り、所望の特性に応じてインダクタンスを設定する。また、本実施形態では複数個のラインフィルタ１を直列に接続しているが、その構造や使用温度が許容できるものであれば単一のラインフィルタ１で構成されてもよい。
第一のコンデンサ直列回路２は、電源ライン４０、４１とアースライン５とをコンデンサ２ａ、２ｂ、２ｃを介して接続することによって、点灯回路９からアースコンデンサ回路６を介して伝播する高周波のコモンモードノイズを、電源ライン４０、４１を介して点灯回路９に帰還させる。尚、第一のコンデンサ直列回路２の構成は上述のものに限定される必要はなく、各電源ライン４０、４１とアースライン５との間の容量の総計が同じであれば他の構成を用いても構わない。また、高周波のコモンモードノイズは、通常点灯回路９とアースライン５との間や配線とアースライン５との間等のあらゆる場所で発生する浮遊容量を介してアースライン５へと流れ込むので、第一のコンデンサ直列回路２は商用電源ＡＣにできるだけ近い場所へ設けるのが好ましい。
上述のように、ノーマルモードノイズ及びコモンモードノイズをラインフィルタ１で低減すると共に、高周波のコモンモードノイズを第一のコンデンサ直列回路２を介して点灯回路９に帰還させることで、商用電源ＡＣに流れ込む高周波のコモンモードノイズを低減することができる。ここで、本実施形態のフィルタ装置Ｆを用いて従来例と同様にノイズ電圧の測定を行うと、図１（ｂ）に示すように（同図において、イ、ロはそれぞれＣＩＳＰＲ１５の準尖頭値の規格値及び平均値の規格値を、ハ、ニはそれぞれ高圧側の電源ラインにおける検波値及び低圧側の電源ラインにおける検波値を示し、以下の実施形態で示すグラフにおいても同様である）、１５０．０ｋＨｚ〜４００．０ｋＨｚの高周波数の帯域において従来例では満足していなかったＣＩＳＰＲ１５の規格値を満足する結果となっている。
（実施形態２）
以下、本発明の第２の実施形態について図面を用いて説明する。本実施形態は、図２に示すように、実施形態１のフィルタ装置Ｆにおける４個のラインフィルタ１を単一のラインフィルタ１に統一し、２個のコンデンサ３ａ、３ｂを直列に接続して成る第二のコンデンサ直列回路３をラインフィルタ１の出力端に接続し、該第二のコンデンサ直列回路３における各コンデンサ３ａ、３ｂ間の接続点とアースライン５とをコンデンサ２ｃを介して接続している。
【００２２】
第二のコンデンサ直列回路３は、電源ライン４０、４１とアースライン５とをコンデンサ３ａ、３ｂ、３ｃを介して接続することによって、点灯回路９からアースコンデンサ回路６を介して伝播する低周波のコモンモードノイズを、電源ライン４０、４１を介して点灯回路９に帰還させる。尚、第二のコンデンサ直列回路３の構成は上述のものに限定される必要はなく、各電源ライン４０、４１とアースライン５との間の容量の総計が同じであれば他の構成を用いても構わない。
【００２３】
上述のように構成することで、実施形態１と同様に商用電源ＡＣに流れ込む高周波のコモンモードノイズを第一のコンデンサ直列回路２で低減すると共に、低周波のコモンモードノイズを第二のコンデンサ直列回路３を介して点灯回路９に帰還させることで、商用電源ＡＣに流れ込む低周波のコモンモードノイズも低減することができる。また、これらコンデンサ直列回路２、３で低周波及び高周波のコモンモードノイズを積極的に低減しているので、ラインフィルタ１のインダクタンスを抑えることができ、したがってフィルタ装置Ｆの小型化及びコスト削減を図ることができる。
（実施形態３）
以下、本発明の第３の実施形態について図面を用いて説明する。本実施形態は、図３（ａ）に示すように、実施形態２のフィルタ装置Ｆにおけるアースコンデンサ回路６と直列にインピーダンス素子７を接続している。
【００２４】
インピーダンス素子７は、アースコンデンサ回路６を介してアースライン５に流れ込むコモンモードノイズを低減するもので、抵抗素子又はインダクタンス素子から成る。抵抗素子を用いた場合、周波数帯域全体に亘ってノイズを低減する効果がある。一方、インダクタンス素子を用いた場合は、インピーダンスが周波数帯域によって大きく異なるため、所定の周波数帯域に対してノイズの低減を図るのに最適である。
【００２５】
上述のように構成することで、商用電源ＡＣに流れ込むコモンモードノイズを低減することができる。ここで、本実施形態において第一のコンデンサ直列回路２及び第二のコンデンサ直列回路３を除いてインピーダンス素子７のみを接続したフィルタ装置Ｆを用いて従来例と同様にノイズ電圧の測定を行うと、図３（ｂ）に示すように、１５０．０ｋＨｚ〜４００．０ｋＨｚの高周波数の帯域において従来例では満足していなかったＣＩＳＰＲ１５の規格値を満足する結果となっている。したがって、第一のコンデンサ直列回路２及び第二のコンデンサ直列回路３も含む本実施形態のフィルタ装置Ｆを用いれば、上記と同等若しくはそれ以上のノイズ低減効果が期待できる。
（実施形態４）
以下、本発明の第４の実施形態について図面を用いて説明する。本実施形態は、図４（ａ）に示すように、実施形態２のフィルタ装置Ｆの第一のコンデンサ直列回路２において、インダクタンス素子８をコンデンサ２ａ、２ｂ、２ｃとそれぞれ直列に接続している。
【００２６】
インダクタンス素子８は、例えばフェライトビーズから成り、アースライン５から電源ライン５へと帰還するノイズ電流を該インダクタンス素子８において減衰させる。
【００２７】
上述のように構成することで、第一のコンデンサ直列回路２を介して電源ライン４０、４１に流れ込む高周波のコモンモードノイズを減衰させることができ、したがって商用電源ＡＣに流れ込む高周波のコモンモードノイズを低減することができる。ここで、本実施形態において第二のコンデンサ直列回路３を除いたフィルタ装置Ｆを用いて従来例と同様にノイズ電圧の測定を行うと、図４（ｂ）に示すように、１５０．０ｋＨｚ〜４００．０ｋＨｚの高周波数の帯域において従来例では満足していなかったＣＩＳＰＲ１５の規格値を満足する結果となっている。更には、２０ＭＨｚの高周波数の帯域においてもノイズが低減している。したがって、第二のコンデンサ直列回路３も含む本実施形態のフィルタ装置Ｆを用いれば、上記と同等若しくはそれ以上のノイズ低減効果が期待できる。
（実施形態５）
以下、本発明の第５の実施形態について図面を用いて説明する。本実施形態は、図５（ａ）に示すように、実施形態２のフィルタ装置Ｆにおいて電源ライン４０、４１に複数（図示では６つ）のインダクタンス素子８を挿入している。
【００２８】
インダクタンス素子８は、例えばフェライトビーズから成り、電源ライン４０、４１それぞれにおいて、ラインフィルタ１の入力端及び出力端、並びに点灯回路９の入力端に各々１つずつ接続している。
【００２９】
上述のように構成することで、電源ライン４０、４１を流れるノイズ電流と共に、第一のコンデンサ直列回路２及び第二のコンデンサ直列回路３を介して電源ライン４０、４１に流れ込むノイズ電流をインダクタンス素子８で減衰させるので、商用電源ＡＣに流れ込むノイズを低減することができる。ここで、本実施形態において第二のコンデンサ直列回路３を除いたフィルタ装置Ｆを用いて従来例と同様にノイズ電圧の測定を行うと、図５（ｂ）に示すように、１５０．０ｋＨｚ〜４００．０ｋＨｚの高周波数の帯域において従来例では満足していなかったＣＩＳＰＲ１５の規格値を満足する結果となっている。更には、２０ＭＨｚの高周波数の帯域においてもノイズが低減している。したがって、第二のコンデンサ直列回路３も含む本実施形態のフィルタ装置Ｆを用いれば、上記と同等若しくはそれ以上のノイズ低減効果が期待できる。
（実施形態６）
以下、本発明の第６の実施形態について図面を用いて説明する。本実施形態は、図６に示すように、天井に設けられた吊ボルト１８によって吊持される平板状の器具本体１０と、器具本体１０の長手方向における両端に各々２つずつ設けられて２本の放電灯ＬＰが着脱自在に装着されるソケット１１と、器具本体１０に取り付けられて放電灯点灯装置が収納される安定器１２と、器具本体１０に取り付けられて放電灯ＬＰからの光を反射させる逆富士型の反射板１３とから成る照明器具であって、安定器１２に実施形態１乃至５の何れかの放電灯点灯装置を搭載している。
【００３０】
器具本体１０の下方には、一定の間隔を空けてボルト取付孔１０ａが設けられており、該ボルト取付孔に吊ボルト１８を上方から挿通し、下方から座金１８ａ及びナット１８ｂで締め付けることで器具本体１０が吊持される。また、器具本体１０の長手方向における両端及び略中央には、それぞれ反射板１３を取り付けるための取付金具１７が設けられており、反射板１３の長手方向における両端及び略中央にそれぞれ設けられたネジ挿通孔１３ａに下方から取付ネジ１９を挿通し、取付金具１７に設けられた取付孔１７ａに螺合することで反射板１３が器具本体１０に取り付けられる。
反射板１３の長手方向における両端には、それぞれソケットを挿通させるためのソケット挿通孔１３ｂが２つずつ設けられている。放電灯ＬＰをソケット１１に装着するには、まず反射板１３を器具本体１０に取り付ける際にソケット１１を該ソケット挿通孔１３ｂを通して下方に臨ませ、その後に反射板１３の長手方向における略中央に設けられた２つの略円環状の口金１４に放電灯ＬＰを嵌合し、放電灯ＬＰの長手方向における両端をソケット１１に取り付ける。
器具本体１０下方の略中央には、安定器１２と電気的に接続される略箱体の端子台１５が設けられており、外部から引き回される電源線１６を該端子台１５の近傍に設けられた電源線挿通孔１０ｂに挿通させて端子台１５に接続することで、安定器１２に電力が供給される。
上述のように、実施形態１乃至５の何れかの放電灯点灯装置を安定器１２に搭載することで、従来例と比べて高周波ノイズを低減することのできる照明器具を提供することができる。
【００３１】
ところで、図７（ａ）に示すように、実施形態２のフィルタ装置Ｆにおける第一のコンデンサ直列回路２の代わりに、商用電源ＡＣ近傍のアースライン５に略円環状のフェライトコア２０を挿入する構成にしてもよい。このように構成することで、ノイズ電流を該フェライトコア２０で減衰させることができ、したがって商用電源ＡＣに流れ込む高周波のコモンモードノイズを低減することができる。また、フェライトコア２０を実施形態６における端子台１５に収納した場合も同様の効果を得ることができる。この場合には、ノイズ低減の効果と共に、フィルタ装置Ｆの小型化及び製造作業効率の向上を図ることができる。ここで、フィルタ装置Ｆを用いずに、端子台１５内部においてアースライン５をフェライトコア２０に巻きつけて従来例と同様にノイズ電圧の測定を行うと、図７（ｂ）に示すように、１５０．０ｋＨｚ〜４００．０ｋＨｚの高周波数の帯域において従来例では満足していなかったＣＩＳＰＲ１５の規格値を満足する結果となっている。更には、２０ＭＨｚの高周波数の帯域においてもノイズが低減している。したがって、フェライトコア２０と共に上記フィルタ装置Ｆを併用すれば上記と同等若しくはそれ以上のノイズ低減効果が期待できる。
【００３２】
尚、本発明のフィルタ装置Ｆは、上記各実施形態のフィルタ装置Ｆの構成を組み合わせたものでも構わない。また、商用電源ＡＣの出力端と点灯回路９の入力端との間に設けるものに限定する必要はなく、点灯回路９に内蔵しても構わない。更に、点灯回路９は接地電位面に対して浮遊容量を持つため、点灯回路９にアースコンデンサ回路６を接続しない場合においても上記各実施形態と同様の効果が得られる。
【図面の簡単な説明】
【００３３】
【図１】本発明の第１の実施形態の放電灯点灯装置を示す図で、（ａ）は回路図で、（ｂ）はノイズ電圧の測定結果を示すグラフである。
【図２】本発明の第２の実施形態の放電灯点灯装置を示す回路図である。
【図３】本発明の第３の実施形態の放電灯点灯装置を示す図で、（ａ）は回路図で、（ｂ）はノイズ電圧の測定結果を示すグラフである。
【図４】本発明の第４の実施形態の放電灯点灯装置を示す図で、（ａ）は回路図で、（ｂ）はノイズ電圧の測定結果を示すグラフである。
【図５】本発明の第５の実施形態の放電灯点灯装置を示す図で、（ａ）は回路図で、（ｂ）はノイズ電圧の測定結果を示すグラフである。
【図６】本発明の第６の実施形態の照明器具を示す分解斜視図である。
【図７】同上の照明器具の端子台にフェライトコアを収納した場合を示す図で、（ａ）は回路図で、（ｂ）はノイズ電圧の測定結果を示すグラフである。
【図８】従来のフィルタ装置が設けられた放電灯点灯装置を示す回路図である。
【図９】同上のノイズの循環路を示す回路図である。
【図１０】同上のノイズ電圧の測定結果を示すグラフである。
【符号の説明】
【００３４】
１  ラインフィルタ
２  第一のコンデンサ直列回路
４０、４１  電源ライン
５  アースライン
【図１】
2007317569.tif 000003
【図２】
2007317569.tif 000004
【図３】
2007317569.tif 000005
【図４】
2007317569.tif 000006
【図５】
2007317569.tif 000007
【図６】
2007317569.tif 000008
【図７】
2007317569.tif 000009
【図８】
2007317569.tif 000010
【図９】
2007317569.tif 000011
【図１０】
2007317569.tif 000012